(57)【要約】【課題】流体を流している状態でメッシュを連続的に洗浄できるストレーナを提供する。【解決手段】流体２０を流す配管７，８に接続される外筒１と、流体２０が流入する開口部を有するかご状をなし外筒１内に設けられて流体２０を通し流体２０に含まれる汚濁物６を捕捉するメッシュ２と、外筒１内に取付けられ前記開口部からメッシュ２内に貫入してメッシュ２内に所定のスペースを画成しスペースに汚濁物６を集める仕切板３と、仕切板３の取付部とメッシュ２の開口部との間の外筒１の外周に取付けられ汚濁物６を排出するブロー配管４とを備えている構成とする。【選択図】図１
2007289890.tif 000002
【特許請求の範囲】
【請求項１】
流体を流す配管に接続される外筒と、前記流体が流入する開口部を有するかご状をなし前記外筒内に設けられて前記流体を通し前記流体に含まれる汚濁物を捕捉するメッシュと、前記外筒内に取付けられ前記開口部から前記メッシュ内に貫入して前記メッシュ内に所定のスペースを画成し前記スペースに前記汚濁物を集める仕切板と、前記仕切板の取付部と前記メッシュの開口部との間の前記外筒の外周に取付けられ前記汚濁物を排出するブロー配管とを備えていることを特徴とするストレーナ。
【請求項２】
前記メッシュを前記開口部に垂直な軸のまわりに回転させる回転手段を備えていることを特徴とする請求項１記載のストレーナ。
【発明の詳細な説明】
【技術分野】
【０００１】
本発明は、配管で輸送される流体内の汚濁物を除去するストレーナに関する。
【背景技術】
【０００２】
各種プラントにおいて配管で輸送される流体に含まれる汚濁物を除去するためにストレーナが設けられている（特許文献１）。図５に従来の代表的なストレーナの構造を示す。ストレーナは、外筒１内に同心に設けたかご状のメッシュ２を備え、配管７側の入口から流入する流体２０に混入している汚濁物６をメッシュ２で捕獲する。ストレーナに流体２０が通流される限り、メッシュ２での捕獲は続けられ汚濁物６はメッシュ２に蓄積する。汚濁物６の捕獲許容量はストレーナ前後の差圧により管理され、差圧が管理値より増大した場合、メッシュ２を洗浄する。
【特許文献１】特開２００３−７１３２２号公報
【発明の開示】
【発明が解決しようとする課題】
【０００３】
しかしながら、メッシュを洗浄する場合には、図６に示すように、（ａ）流体輸送系統からのストレーナのアイソレーションとストレーナ内部保有流体のブロー、（ｂ）配管からストレーナの取り外し、（ｃ）外筒１とメッシュ２の分離、の手順を踏み、はじめてメッシュ２の洗浄が可能となる。つまり、ストレーナ洗浄のためには本系統に流体を流すことができず、ストレーナが1系統であった場合、プラント停止に至ることもある。
【０００４】
そこで本発明は、流体を流している状態でメッシュを連続的に洗浄できるストレーナを提供することを目的とする。
【課題を解決するための手段】
【０００５】
上記目的を達成するために本発明のストレーナは、流体を流す配管に接続される外筒と、前記流体が流入する開口部を有するかご状をなし前記外筒内に設けられて前記流体を通し前記流体に含まれる汚濁物を捕捉するメッシュと、前記外筒内に取付けられ前記開口部から前記メッシュ内に貫入して前記メッシュ内に所定のスペースを画成し前記スペースに前記汚濁物を集める仕切板と、前記仕切板の取付部と前記メッシュの開口部との間の前記外筒の外周に取付けられ前記汚濁物を排出するブロー配管とを備えている構成とする。
【発明の効果】
【０００６】
本発明によれば、流体を流している状態でメッシュを連続的に洗浄できるストレーナを提供することができる。
【発明を実施するための最良の形態】
【０００７】
以下、本発明の実施の形態に関わるストレーナについて図面を参照しつつ説明する。
（第１の実施の形態）
まず、図１を参照して本発明の第1の実施の形態を説明する。本実施の形態のストレーナは、流体２０を輸送する配管７，８の間にフランジ９ａ，９ｂによって取付けられ、
円筒形の外筒１の内部に同様に円筒形かご状のメッシュ２が設置されている。メッシュ２の内部には仕切板３が設けられており、仕切板３はメッシュ２と半径方向、軸方向に僅かな間隙を保ち、周方向に90°程度の広がりをもち、軸方向にメッシュと同程度の長さを有する形状となっている。外筒１へのメッシュ２の取付部と仕切板３の取付部の間にはブロー弁５を有するブロー配管４が取付けられている。
【０００８】
次にこの第１の実施の形態の作用について説明する。ストレーナの上流から流入してきた流体２０には配管および機器からのスケール等の汚濁物６が混入している。メッシュ２の孔径より大きな汚濁物６は、メッシュ２を流体２０が通過することにより、メッシュ２に捕捉される。ストレーナに流体２０を流した状態で、ブロー弁５を開することで、流体はブロー配管４を通過し系外に排出され、それと共にメッシュ２に捕捉された汚濁物６もブロー配管４より系外に排出される。
【０００９】
本実施の形態のストレーナによれば、ストレーナのアイソレーション、流体排出、取外しおよびメッシュの取外しをすることなく、ストレーナに流体の通流を続けたまま連続的にメッシュの洗浄を行うことが可能である。
【００１０】
（第２の実施の形態）
つぎに図２、図３を参照して第２の実施の形態を説明する。本実施の形態のストレーナは、図２に示すように、メッシュ２の両端部につば状フランジ１０を設ける。つば状フランジ１０には流体の流れを利用してメッシュ２が回転するように翼状スリット１０ａが加工してある。つば状フランジ１０の半径方向端部は、本ストレーナの構成部品である外筒１ａと外筒１ｂを接続するフランジ１２および外筒１ｂと配管８を接続するフランジ９ｂに形成したストレーナ保持溝１３に嵌装され、メッシュ２の回転と流体２０の流れによる力を支持するようにしている。
【００１１】
本実施の形態のストレーナは、図３に示すように、メッシュ２が矢印Ａのように周方向に回転する。メッシュ２の回転中心に対して仕切板３と対称方向で捕捉された汚濁物６についても、メッシュ２が回転することにより汚濁物６が仕切板３で画成されたスペース内もしくはその付近に移動するので、メッシュ２の連続的かつ効果的な洗浄が可能である。
【００１２】
本実施の形態のストレーナにおいては、メッシュ２は流体２０の流れがある時には常に回転しているため、メッシュ２が汚濁物６で目詰まりすることが無くなるとともに、適宜ブロー弁５を開けることにより効果的に汚濁物６の排出とメッシュ２の洗浄を行うことができる。
【００１３】
（第３の実施の形態）
図４は、第３の実施の形態のストレーナを示す。すなわち、メッシュ２の下流側において外筒１内にステー１５によって取付けたモータ１６を設け、このモータ１６にメッシュ２を軸直結し回転させる。モータ１６は外部に設けたモータ回転制御器１８により回転・停止が制御される。
【００１４】
本実施の形態によれば、メッシュ２を一定時間毎に回転させるとともにブロー弁５を開き、汚濁物６を排出するというストレーナ洗浄の自動運転が可能となり、流体輸送系からのストレーナのアイソレーション、流体排出、取外し、およびメッシュ２の取外し作業を行うことなく、ストレーナに流体を流したまま、メッシュ２の効果的な洗浄が可能となる。
【００１５】
なお、メッシュ２を回転させるための構成は、これら第２、第３の実施の形態に限定されるものではなく、配管内の流体の流れを妨げずにメッシュ２内に汚濁物６を捕捉し排出できる構成であればなんでもよい。
【図面の簡単な説明】
【００１６】
【図１】本発明の第1の実施の形態のストレーナを示し、（ａ）は軸方向断面図、（ｂ）は（ａ）のｂ−ｂ線に沿う断面図。
【図２】本発明の第２の実施の形態のストレーナを示し、（ａ）は軸方向断面図、（ｂ）は（ａ）のｂ−ｂ線に沿う断面図。
【図３】本発明の第２の実施の形態のストレーナの作用を示し、（ａ）は軸方向断面図、（ｂ）は（ａ）のｂ−ｂ線に沿う断面図。
【図４】本発明の第３の実施の形態のストレーナを示し、（ａ）は軸方向断面図、（ｂ）は（ａ）のｂ−ｂ線に沿う断面図。
【図５】従来のストレーナの構造を示す断面図。
【図６】従来のストレーナの清掃方法を示す図。
【符号の説明】
【００１７】
１，１ａ，１ｂ…外筒、２…メッシュ、３…仕切板、４…ブロー配管、５…ブロー弁、６…汚濁物、７，８…配管、９ａ，９ｂ…フランジ、１０…つば状フランジ、１０ａ…翼状スリット、１１…ボルト孔、１２…フランジ、１３…ストレーナ保持溝、１４…回転軸、１５…モータ取付けステー、１６…ストレーナ回転用モータ、１７…モータ制御線、１８…モータ回転制御器、２０…流体、Ａ…メッシュ２の回転方向。
【図１】
2007289890.tif 000003
【図２】
2007289890.tif 000004
【図３】
2007289890.tif 000005
【図４】
2007289890.tif 000006
【図５】
2007289890.tif 000007
【図６】
2007289890.tif 000008